(57)【要約】【課題】ウェイト材を雌ネジ穴に容易に装着することができるゴルフクラブヘッドを提供する。【解決手段】ゴルフクラブヘッド５は、ヘッド本体６と、該ヘッド本体６のソール部やバック部等に設けられたウェイト材装着部７と、該ウェイト材装着部７にねじ込みにより着脱可能に取り付けられたウェイト材１０とを有する。ウェイト材１０をウェイト材装着部７に装着するには、ウェイト材１０のロッド部１２をウェイト材装着部７の筒部７ｂに差し込んだ後、工具を工具係合穴１１ａ，１１ｂに係合させて回す。【選択図】図１
2013233346.tif 000002
【特許請求の範囲】
【請求項１】
ヘッド本体と、該ヘッド本体のウェイト材装着部に着脱可能に取り付けられたウェイト材とを有しており、
該ウェイト材装着部の雌ネジにウェイト材の雄ネジが噛合しているゴルフクラブヘッドにおいて、
該ウェイト材は、該雄ネジを有した頭部と、該頭部から突出したロッド部とを備えており、
該ウェイト材装着部は、入口側に前記雌ネジが設けられ、奥側に該ロッド部が係合した筒部が設けられていることを特徴とするゴルフクラブヘッド。
【請求項２】
請求項１において、該ロッド部が該頭部に回転可能となっていることを特徴とするゴルフクラブヘッド。
【請求項３】
請求項１又は２において、前記ウェイト材に、比重の異なるパーツが着脱可能に装着されていることを特徴とするゴルフクラブヘッド。
【請求項４】
請求項１ないし３のいずれか１項において、前記ウェイト材はゴルフクラブヘッドのソール部に斜めに装着されていることを特徴とするゴルフクラブヘッド。
【発明の詳細な説明】
【技術分野】
【０００１】
本発明は、ゴルフクラブヘッドに係り、特にウェイト材を備えたゴルフクラブヘッドに関する。
【背景技術】
【０００２】
ゴルフクラブは、シャフトの先端部にヘッドが取り付けられたものである。シャフトの基端側にグリップが装着されている。
【０００３】
一般的なゴルフクラブヘッドにあっては、ヘッドに直にホゼル穴が設けられており、シャフトは該ホゼル穴に挿入され、接着剤によって固着されている。
【０００４】
ゴルフクラブヘッドの重量やバランス調節するために、ゴルフクラブヘッドにウェイト材をねじ込みにより着脱可能に取り付けたものが用いられている（例えば特許文献１）。
【０００５】
図１０は特許文献１のゴルフクラブヘッドの断面図である。このゴルフクラブヘッド１は、ヘッド本体２のソール部に雌ネジ穴３が設けられ、この雌ネジ穴３にウェイト材（錘部材）４がねじ込みにより着脱可能に取り付けられている。
【先行技術文献】
【特許文献】
【０００６】
【特許文献１】特開２０１０−６９１０６
【発明の概要】
【発明が解決しようとする課題】
【０００７】
上記のようにウェイト材４を雌ネジ穴３にねじ込むに際しては、ウェイト材４を雌ネジ穴３に当て、工具を雌ネジ穴３に係合させて回すのであるが、ウェイト材４を雌ネジ穴３に当てるに際しては、十分に注意を払って正しく同軸状に当ててから回す必要がある。仮にウェイト材４の軸心方向が雌ネジ穴３の軸心方向と斜交していると、ウェイト材４を回してもウェイト材４が雌ネジ穴３に入っていかなかったり、ウェイト材４が傾いたまま無理矢理にねじ込まれて雌ネジ穴３のネジ面が損壊したりするおそれがある。
【０００８】
また、図１０の従来例では、ウェイト材４を雌ネジ穴３に当てたり回したりするときにウェイト材４が雌ネジ穴３から脱落し易い。このようなことから、従来のゴルフクラブヘッドでは、ウェイト材の装着に手間がかかっていた。
【０００９】
本発明は、ウェイト材を雌ネジ穴に容易に装着することができるゴルフクラブヘッドを提供することを目的とする。
【課題を解決するための手段】
【００１０】
本発明のゴルフクラブヘッドは、ヘッド本体と、該ヘッド本体のウェイト材装着部に着脱可能に取り付けられたウェイト材とを有しており、該ウェイト材装着部の雌ネジにウェイト材の雄ネジが噛合しているゴルフクラブヘッドにおいて、該ウェイト材は、該雄ネジを有した頭部と、該頭部から突出したロッド部とを備えており、該ウェイト材装着部は、入口側に前記雌ネジが設けられ、奥側に該ロッド部が係合した筒部が設けられていることを特徴とするものである。
【００１１】
前記ロッド部は頭部に対し回転自在となっていてもよい。
【００１２】
前記ウェイト材に比重の異なるパーツを着脱可能に装着してもよい。
【００１３】
ウェイト材はゴルフクラブヘッドのソール部に対し斜め方向に装着されてもよい。
【発明の効果】
【００１４】
本発明のゴルフクラブヘッドにあっては、ウェイト材をウェイト材装着部に装着するに際して、ウェイト材のロッド部をウェイト材装着部の筒部に係合させる。これにより、ウェイト材の脱落が防止されると共に、ウェイト材とウェイト材装着部と同軸状に位置させ、容易にねじ込むことができる。
【００１５】
ロッド部を頭部に対し回転自在とした場合は、頭部のみを回してウェイト材をウェイト材装着部にねじ込むことができる。
【００１６】
ウェイト材に比重の異なるパーツを装着することにより、ウェイト材の重量調節を行うことができる。
【図面の簡単な説明】
【００１７】
【図１】実施の形態に係るウェイト材装着部の断面図である。
【図２】図１のウェイト材の斜視図である。
【図３】図２のIII−III線断面図である。
【図４】図１のゴルフクラブヘッドにおけるウェイト材装着途中図である。
【図５】別のウェイト材を示す斜視図である。
【図６】（ａ）図はさらに別のウェイト材の断面図、（ｂ）図は（ａ）図のＢ−Ｂ線断面図である。
【図７】（ａ）図はさらに別のウェイト材の断面図、（ｂ）図はこのウェイト材の斜視図である。
【図８】さらに別のウェイト材の断面図である。
【図９】異なる実施の形態に係るゴルフクラブヘッドのウェイト材装着部の断面図である。
【図１０】従来のゴルフクラブヘッドの断面図である。
【図１１】別の実施の形態に係るゴルフクラブヘッドの側面図である。
【図１２】図１１のゴルフクラブヘッドのウェイト材装着部の断面図である。
【発明を実施するための形態】
【００１８】
以下、図面を参照して実施の形態について説明する。
【００１９】
図１〜４は第１の実施の形態に係るゴルフクラブヘッド５を示すものである。このゴルフクラブヘッド５は、ヘッド本体６と、該ヘッド本体６のソール部やバック部等に設けられたウェイト材装着部７と、該ウェイト材装着部７にねじ込みにより着脱可能に取り付けられたウェイト材１０とを有する。
【００２０】
ウェイト材装着部７は、図４の通り、入口側が雌ネジ部７ａとなっており、奥側が雌ネジを有しない筒部７ｂとなっている。なお、この実施の形態では、ウェイト材装着部７の入口の周縁部はテーパ面７ｃとなっている。また、筒部７ｂは雌ネジ部７ａよりも小径であり、雌ネジ部７ａと筒部７ｂとの境界部分は段差部７ｄとなっている。筒部７ｂは、この実施の形態では円筒形である。筒部７ｂの最奥部のコーナー部はテーパ面７ｅとなっている。
【００２１】
図２の通り、ウェイト材１０は、外周面に雄ネジが刻設された頭部１１と、該頭部１１に固着されたロッド部１２とを有する。頭部１０の頭頂面には、工具の係合穴１１ａ，１１ｂが設けられている。
【００２２】
図１の通り、頭部１１の頭頂面と反対面は凹所１１ｃとなっており、この凹所１１ｃにロッド部１２が挿入されている。凹所１１ｃの奥底面には、入口側が小径であり、奥側が大径となっている係止凹部１１ｄが設けられている。
【００２３】
ロッド部１２は、頭部１１から突出する本体部１２ａと、該本体部１２ａよりも小径であり、凹所１１ｃに挿入された小径部１２ｂと、該小径部１２ｂの先端面から突設された係止凸部１２ｃとを有している。この係止凸部１２ｃは、基端側が先端側よりも小径であり、前記係止凹部１１ｄと同一形状、同一大きさとなっている。この係止凸部１２ｃは係止凹部１１ｄに対し冷し嵌め、焼き嵌め、無理嵌め等により嵌合しており、これにより頭部１１とロッド部１２とが一体化されている。
【００２４】
なお、ロッド部１２は頭部１１と同軸状である。この実施の形態では、ロッド部１２は頭部１１に対し回転可能となっていてもよく、回転不能となっていてもよい。
【００２５】
このウェイト材１０をウェイト材装着部７に装着するには、図４（ａ）のようにウェイト材１０をウェイト材装着部７に接近させ、図４（ｂ）のようにウェイト材１０のロッド部１２をウェイト材装着部７の筒部７ｂに差し込んだ後、工具を工具係合穴１１ａ，１１ｂに係合させて回す。
【００２６】
このウェイト材１０にはロッド部１２が設けられており、図４（ｂ）のようにウェイト材１０を単にウェイト材装着部７に差し込んだだけで、ロッド部１２が筒部７ｂに係合し、ウェイト材１０がウェイト材装着部７と正確に同軸状となる。そのため、図４（ｂ）の状態からウェイト材１０を回すと、ウェイト材１０の雄ネジがウェイト材装着部７の雌ネジ部７ａの内周面の雌ネジにスムーズに噛合する。ウェイト材１０を十分にねじ込むと、頭部１１の下端面が段差部７ｄに強く押し付けられ、ウェイト材１０がウェイト材装着部７にしっかりと装着される。
【００２７】
また、この実施の形態では、図４（ｂ）のように、ウェイト材１０をウェイト材装着部７に差し込んだ状態でロッド部１２が筒部７ｂに係合しているので、装着作業時にウェイト材１０がウェイト材装着部７から脱落しにくい。
【００２８】
このように、この実施の形態によると、ウェイト材１０をウェイト材装着部７にきわめて容易に装着することができる。
【００２９】
上記実施の形態では、ロッド部１２が円柱状となっているが、図５のウェイト材１０Ａのように角柱状のロッド部１２Ａとしてもよい。この場合、ロッド部１２Ａは頭部１１に対し回転自在としておく。図５のウェイト材１０Ａのその他の構成は上記ウェイト材１０と同一であり、同一符号は同一部分を示している。
【００３０】
本発明では、図６のウェイト材１０Ｂのように、パーツ１５をロッド部１２にねじ込み等により着脱可能に装着してもよい。この場合、パーツ１５を取り外したり、別重量のパーツに取り替えることにより、ウェイト材１０Ｂの重量を変えることができる。ウェイト材１０Ｂのその他の構成はウェイト材１０と同一であり、図６のその他の符号はウェイト材１０と同一部分を示している。
【００３１】
図７のウェイト材１０Ｃでは、頭部１１Ｃに、軸心部を貫通する貫通孔１１ｅが設けられている。ロッド部１２Ｃの小径部１２ｂが該貫通孔１１ｅに回転自在に挿通されている。小径部１２ｂの先端面にストッパプレート１７が装着されている。このストッパプレート１７は、先端側が基端側よりも大径の係止凸部１７ａが設けられている。小径部１２ｂの先端面の同様形状の係止凹部１２ｇに該係止凸部１７ａを嵌合させている。ストッパプレート１７は貫通孔１１ｅよりも大径の円盤状であり、ロッド部１２Ｃは頭部１１Ｃから不抜となる。
【００３２】
ロッド部１２Ｃの本体部１２ａは小径部１２ｂよりも大径である。小径部１２ｂ、貫通孔１１ｅは、軸心線方向と垂直な断面形状が円形であり、頭部１１Ｃはロッド部１２Ｃに対し回転自在となっている。頭部１１Ｃの頭頂面の工具係合穴１１ｆに工具を係合させて頭部１１Ｃを回すことができる。
【００３３】
図８のウェイト材１０Ｄは、頭部１１Ｄに対しロッド部１２Ｄをボルト１８によって留め付けて一体化したものである。その他の構成はウェイト材１０Ｃと同様であり、同一符号は同一部分を示している。
【００３４】
上記実施の形態では、ウェイト材装着部７は非貫通穴であるが、本発明では、図９のヘッド本体６’のウェイト材装着部７’のように貫通穴状の筒形であってもよい。図９のその他の構成は図１と同一であり、同一符号は同一部分を示している。
【００３５】
本発明では、ウェイト材はソール部に対し斜めに装着されてもよい。図１１はその一例を示すゴルフクラブヘッドのヒール側から見た側面図、図１２はこのゴルフクラブヘッド５’のウェイト材装着部のヘッド前後方向の縦断面図である。図示の通り、ゴルフクラブヘッド５’のソール部５ａに対しウェイト材装着部７がその軸心線方向をヘッド前後方向においてソール状態における水平面に対し角度θにて斜交させて設けられている。この角度θは１０〜６０°特に２０〜５０°とりわけ３０〜４５°程度が好ましい。図１１，１２のように、ウェイト材装着部７は、その奥側ほどゴルフクラブヘッド５’の前方となるように傾斜している。
【００３６】
このようにソール部５ａにウェイト材１０を斜めに装着すると、ソール面に対し垂直にウェイト材１０を装着した場合に比べて、インパクト時にウェイト材１０に振動が加えられてもウェイト材１０が緩みにくくなる。
【００３７】
ウェイト材１０を緩みにくくするためにゴルフクラブヘッド内のリブやソールの内面構造を変えると、ゴルフクラブヘッドの固有振動数に変化が生じて打球音に変調が生じたり、リブなどにより打球時の振幅が小さくなることがあるが、ウェイト材装着部及びウェイト材を斜めとした場合にはこのようなことが防止される。なお、上記角度θが６０°よりも大きいと上記の効果が乏しくなってしまう。逆に、角度θが１０°よりも小さいと、ウェイト材装着部の構造が複雑になり、その重量が大きくなり、ウェイト材による重量調整の幅が小さくなる。
【符号の説明】
【００３８】
５  ゴルフクラブヘッド
６，６’  ヘッド本体
７，７’  ウェイト材装着部
７ａ  雌ネジ部
７ｂ  筒部
１０，１０Ａ，１０Ｂ，１０Ｃ，１０Ｄ  ウェイト材
１１，１１Ｃ，１１Ｄ  頭部
１２，１２Ｃ，１２Ｄ  ロッド部
【図１】
2013233346.tif 000003
【図２】
2013233346.tif 000004
【図３】
2013233346.tif 000005
【図４】
2013233346.tif 000006
【図５】
2013233346.tif 000007
【図６】
2013233346.tif 000008
【図７】
2013233346.tif 000009
【図８】
2013233346.tif 000010
【図９】
2013233346.tif 000011
【図１０】
2013233346.tif 000012
【図１１】
2013233346.tif 000013
【図１２】
2013233346.tif 000014